(57)【要約】【目的】  記録媒体を給送する給送ローラと、画像が記録された記録媒体を記録部に搬送する再搬送部が有する再搬送ローラ対の駆動力源を同一にすることで部品点数の増加を抑えつつ、再搬送ローラ対によるジャムの発生を防止できる記録装置の提供を目的とする。【解決手段】  給送ローラを支持し、給送ローラが収容された記録媒体と当接する第１位置と、離間する第２位置とに回動可能な支持アームと、支持アームを第１位置と第２位置とに回動させる第１駆動部と、給送ローラと再搬送ローラ対を駆動させる第１駆動力源と、記録部により画像が記録された記録媒体を記録部に搬送する再搬送部に配置される再搬送ローラ対のうちの、どちらか一方のローラを他方のローラから接離可能に支持する支持部と、第１駆動部が支持アームを第１位置から第２位置へ回動させるのに連動して、一方のローラが他方のローラに当接する向きに支持部を駆動させる第２駆動部と、を備えた記録装置。【選択図】図２
2011126666.tif 000002
【特許請求の範囲】
【請求項１】
記録媒体に画像を記録する記録部と、
収容された記録媒体を給送可能な給送ローラと、
給送された記録媒体を前記記録部に向かって搬送する主搬送部と、
前記記録部により画像が記録された記録媒体を前記記録部に搬送する再搬送部であって、記録媒体を挟持して搬送する再搬送ローラ対を備えた再搬送部と、
前記給送ローラと前記再搬送ローラ対のうちの少なくともどちらか一方のローラを駆動させる第１駆動力源と、
前記再搬送ローラ対のうちのどちらか一方のローラを、他方のローラから接離可能に支持する支持部と、
前記一方のローラが前記他方のローラから離間する向きに前記支持部を付勢する第１付勢部と、
前記給送ローラを支持し、前記給送ローラが前記収容された記録媒体と当接する第１位置と、離間する第２位置とに回動可能な支持アームと、
前記支持アームが前記第１位置と前記第２位置とに回動するように駆動させる第１駆動部と、
前記第１駆動部が前記支持アームを前記第１位置から前記第２位置へ回動させるのに連動して、前記一方のローラが前記他方のローラに当接する向きに前記支持部を駆動させる第２駆動部と、を備えたことを特徴とする記録装置。
【請求項２】
前記再搬送部は、前記再搬送部により前記記録部に向かって搬送される記録媒体の搬送方向において前記再搬送ローラ対よりも上流側に配置され、正逆方向に回転可能であり記録媒体を挟持して搬送する正逆転ローラ対を備え、
前記正逆転ローラ対のうちの少なくともどちらか一方のローラと前記第１駆動部とを駆動させる第２駆動力源をさらに備える請求項１に記載の記録装置。
【請求項３】
前記第２駆動部は、前記支持部を押圧可能な押圧部であって、前記支持アームが前記第１位置から前記第２位置へ回動するのに連動して前記支持部を押圧する押圧部を備える請求項１又は２に記載の記録装置。
【請求項４】
前記押圧部は、前記押圧部が前記支持部から離間する向きに付勢される第２付勢部を備え、
前記第２付勢部の付勢力は、前記第１付勢部の付勢力よりも大きく設定されている請求項３に記載の記録装置。
【請求項５】
前記押圧部と前記支持部との離間距離を規制するストッパ部をさらに備える請求項４に記載の記録装置。
【請求項６】
前記第１駆動部は、退避位置と再搬送位置とに移動可能であり、再搬送位置にあるときには前記再搬送部の一部を兼ねており、
前記支持アームは、退避位置から再搬送位置へ移動する前記第１駆動部に当接することにより、前記第１位置から前記第２位置へと回動する請求項１から５のいずれかに記載の記録装置。
【請求項７】
前記給送ローラ及び前記再搬送ローラ対のうちの少なくともどちらか一方の前記ローラは、前記第１駆動力源の回転により、どちらか一方の向きに回転する請求項１から６のいずれかに記載の記録装置。
【請求項８】
前記主搬送部は、少なくとも一つのローラ対を備え、
前記第２駆動力源は、前記主搬送部が備えた前記ローラ対のうちの少なくともどちらか一方のローラを駆動させ、
前記主搬送部が備えた前記ローラ対のうちの少なくともどちらか一方の前記ローラは、前記第２駆動力源の回転により、どちらか一方の向きに回転する請求項１から７のいずれかに記載の記録装置。
【請求項９】
前記正逆転ローラ対のうちの少なくともどちらか一方の前記ローラは、前記第２駆動力源の正逆方向への回転に連動して正逆方向へ回転し、
前記第１駆動部は、前記第２駆動力源の正逆方向への回動に連動して前記再搬送位置から前記退避位置へ移動する向き及び前記退避位置から前記再搬送位置へ移動する向きに移動する請求項６から８のいずれかに記載の記録装置。
【発明の詳細な説明】
【技術分野】
【０００１】
本発明は、記録媒体に画像を記録する記録装置の構成に関するものである。
【背景技術】
【０００２】
特許文献１に記載の両面記録装置は、記録媒体に画像を記録する感光ドラムと定着器とを有する記録部と、記録媒体を収容するシートカセットと、収容された記録媒体を給送するシート供給ローラと、給送された記録媒体を記録部に向かって搬送する搬送部とを備えている。さらに、正逆転可能な排出ローラ対を有し、排出ローラ対の逆転により、画像が記録された記録媒体を記録部に向かって再給送する再搬送部を有する。再搬送部には、記録媒体を挟持して搬送する互いに常時圧接された再搬送ローラ対が配置されている。
【先行技術文献】
【特許文献】
【０００３】
【特許文献１】特開２００２−３６２７６６号公報
【発明の概要】
【発明が解決しようとする課題】
【０００４】
部品点数削減の為、シート供給ローラの駆動力源と再搬送ローラ対の駆動力源を同一とした場合、再給送の際のシート供給ローラによる給送を防止するためには、シート供給ローラをシートカセットに収容された記録媒体から接離可能に設け、再給送の際に、シート供給ローラを該記録媒体から離間させた後に、再搬送ローラ対を駆動する方法が考えられる。すると、シート供給ローラの該記録媒体からの離間が遅れた場合には、再搬送ローラ対の駆動が遅れ、逆転する排出ローラ対により再給送された記録媒体は停止している再搬送ローラ対に衝突してジャムしてしまうという問題がある。
【０００５】
本発明は、上記課題を解決すべくなされたものであり、駆動力源を同一にすることで部品点数の増加を抑えつつ、再搬送ローラ対によるジャムの発生を防止できる記録装置の提供を目的とする。
【課題を解決するための手段】
【０００６】
請求項１に記載の記録装置は、記録媒体に画像を記録する記録部と、収容された記録媒体を給送可能な給送ローラと、給送された記録媒体を前記記録部に向かって搬送する主搬送部と、前記記録部により画像が記録された記録媒体を前記記録部に搬送する再搬送部であって、記録媒体を挟持して搬送する再搬送ローラ対を備えた再搬送部と、前記給送ローラと前記再搬送ローラ対のうちの少なくともどちらか一方のローラを駆動させる第１駆動力源と、前記再搬送ローラ対のうちのどちらか一方のローラを、他方のローラから接離可能に支持する支持部と、前記一方のローラが前記他方のローラから離間する向きに前記支持部を付勢する第１付勢部と、前記給送ローラを支持し、前記給送ローラが前記収容された記録媒体と当接する第１位置と、離間する第２位置とに回動可能な支持アームと、前記支持アームが前記第１位置と前記第２位置とに回動するように駆動させる第１駆動部と、前記第１駆動部が前記支持アームを前記第１位置から前記第２位置へ回動させるのに連動して、前記一方のローラが前記他方のローラに当接する向きに前記支持部を駆動させる第２駆動部と、を備えている。
【０００７】
この構成により、給送ローラと再搬送ローラ対の駆動力源は同一であり、部品点数の増加を抑えることができる。さらに、支持アームが第１位置にある場合、再搬送ローラ対を構成するローラ同士は互いに離間しており、第１駆動部が支持アームを第１位置から第２位置へ回動させるのに連動して、再搬送ローラ対を構成するローラ同士が当接する。そのため、支持アームの第２位置への回動が遅れた場合、即ち給送ローラの収容された記録媒体からの離間が遅れた場合でも、再搬送ローラ対によるジャムの発生を防ぐことができる。
【０００８】
請求項２に記載の記録装置は、前記再搬送部は、前記再搬送部により前記記録部に向かって搬送される記録媒体の搬送方向において前記再搬送ローラ対よりも上流側に配置され、正逆方向に回転可能であり記録媒体を挟持して搬送する正逆転ローラ対を備え、前記正逆転ローラ対のうちの少なくともどちらか一方のローラと前記第１駆動部とを駆動させる第２駆動力源をさらに備えている。
【０００９】
この構成により、正逆転ローラ対と第１駆動部の駆動力源は同一であり、部品点数の増加をさらに抑えることができる。
【００１０】
請求項３に記載の記録装置において、前記第２駆動部は、前記支持部を押圧可能な押圧部であって、前記支持アームが前記第１位置から前記第２位置へ回動するのに連動して前記支持部を押圧する押圧部を備えている。
【００１１】
この構成により、支持アームが第１位置から第２位置へ回動するのに連動して、支持部が押圧され、再搬送ローラ対を構成するローラ同士を当接させるため、簡単な構成で確実に再搬送ローラ対を構成するローラ対同士が当接することができる。
【００１２】
請求項４に記載の記録装置は、前記押圧部は、前記押圧部が前記支持部から離間する向きに付勢される第２付勢部を備え、前記第２付勢部の付勢力は、前記第１付勢部の付勢力よりも大きく設定されている。
【００１３】
この構成により、押圧部が支持部を押圧しないときには、第２付勢部により前記押圧部が前記支持部から離間する向きに付勢されている。そのため、押圧部により支持部が押圧されたときには、確実に再搬送ローラ対を構成するローラ対同士が当接することができる。
【００１４】
請求項５に記載の記録装置は、前記押圧部と前記支持部との離間距離を規制するストッパ部をさらに備えている。
【００１５】
この構成により、押圧部と支持部とが離間しすぎることがない。そのため、押圧部により支持アームが影響を受けない。
【００１６】
請求項６に記載の記録装置は、前記第１駆動部は、退避位置と再搬送位置とに移動可能であり、再搬送位置にあるときには前記再搬送部の一部を兼ねており、前記支持アームは、退避位置から再搬送位置へ移動する前記第１駆動部に当接することにより、前記第１位置から前記第２位置へと回動する。
【００１７】
この構成により、再搬送部の一部を兼ねる第１駆動部の退避位置から再搬送位置への移動により、支持アームが第１位置から第２位置へ回動するため、支持アームを回動させるための部材を設ける必要がなく、部品点数を削減することができる。
【００１８】
請求項７に記載の記録装置は、前記給送ローラ及び前記再搬送ローラ対のうちの少なくともどちらか一方の前記ローラは、前記第１駆動力源の回転により、どちらか一方の向きに回転する。
【００１９】
請求項８に記載の記録装置は、前記主搬送部は、少なくとも一つのローラ対を備え、前記第２駆動力源は、前記主搬送部が備えた前記ローラ対のうちの少なくともどちらか一方のローラを駆動させ、前記主搬送部が備えた前記ローラ対のうちの少なくともどちらか一方の前記ローラは、前記第２駆動力源の回転により、どちらか一方の向きに回転する。
【００２０】
請求項９に記載の記録装置は、前記正逆転ローラ対のうちの少なくともどちらか一方の前記ローラは、前記第２駆動力源の正逆方向への回転に連動して正逆方向へ回転し、前記第１駆動部は、前記第２駆動力源の正逆方向への回動に連動して前記再搬送位置から前記退避位置へ移動する向き及び前記退避位置から前記再搬送位置へ移動する向きに移動する。
【発明の効果】
【００２１】
本発明の画像記録装置によれば、部品点数の増加を抑えつつ、ジャムの発生を防止することができる。
【図面の簡単な説明】
【００２２】
【図１】本発明の実施形態に係る複合機１０の外観斜視図
【図２】本発明の実施形態に係るプリンタ部１４の概略断面図
【図３】本発明の実施形態に係る給紙カセット４８及び接離機構１３８を示し、再搬送ローラ７４と第４ピンチローラ１３４とが離間位置に位置する状態を示す説明図
【図４】本発明の実施形態に係る給紙カセット４８及び接離機構１３８を示し、再搬送ローラ７４と第４ピンチローラ１３４とが圧接位置に位置する状態を示す説明図
【図５】本発明の実施形態に係る複合機１０の制御系統を示すブロック図
【図６】本発明の実施形態に係る接離機構１３８の一部を示す説明図
【図７】本発明の実施形態に係る接離機構１３８の一部を示す説明図
【発明を実施するための形態】
【００２３】
以下、適宜図面を参照して、本発明の好ましい実施形態について説明する。
【００２４】
以下の説明においては、複合機１０が使用可能に設置された図１の状態を基準として上下方向１を定義し、操作パネル１２が設けられている側を前側として前後方向２を定義し、複合機１０を前側から見て左右方向３を定義する。
【００２５】
複合機１０は、上下方向よりも、左右方向及び前後方向のほうが長い概ね直方体である。複合機１０は、下部にプリンタ部１４を、上部にスキャナ部１６を、前側上部に操作パネル１２を備えている。以下、プリンタ部１４の詳細について説明する。なお、スキャナ部１６及び操作パネル１２の詳細についてはその説明を省略する。
【００２６】
［プリンタ部１４の構成］
図２に示すように、プリンタ部１４は、画像記録部１８と、給紙部２０と、第１搬送部２２と、切換部２４と、保持部２６と、第２搬送部２８とを有する。第１搬送部２２は、給紙部２０から画像記録部１８を経由して切換部２４に記録紙を搬送する。切換部２４は、記録紙の裏面に画像を記録するために記録紙の搬送方向を切り換える。保持部２６は、記録済みの記録紙を保持する。第２搬送部２８は、搬送方向が切り換えられた記録紙を再び第１搬送部２２に搬送する。以下、各構成について説明する。ここで、第１搬送部２２により搬送される記録紙は第１搬送路３０上を搬送される。また、第２搬送部により搬送される記録紙は第２搬送路３２上を搬送される。
【００２７】
［画像記録部１８］
画像記録部１８は、プリンタ部１４における上部に配置され、記録紙に画像を記録する。画像記録部１８は、記録ヘッド３４と、記録ヘッド３４を支持するキャリッジ３６と、記録ヘッド３４に対向して記録紙を支持するプラテン３８とを有する。
【００２８】
記録ヘッド３４は、インク滴を吐出可能であり、インクはインクカートリッジ（不図示）から記録ヘッド３４に供給される。
【００２９】
記録ヘッド３４が支持されるキャリッジ３６は、ガイドレール４０、４２に沿って左右方向に往復動可能である。キャリッジ３６は、駆動源であるＣＲモータ４４（図６参照）に連結される。キャリッジ３６は、複数のギアからなる第１伝達機構（不図示）を介して、ＣＲモータ４４の回転が伝達されて左右方向に往復動する。キャリッジ３６の往復動に伴い、記録ヘッド３４はインク滴を吐出する。これにより、記録ヘッド３４に対向する記録紙に画像が記録される。
【００３０】
プラテン３８は、記録ヘッド３４の下方に配置され、前後及び左右に亘って延設される部材である。プラテン３８は、記録途中の記録紙をプラテン３８の上面で概ね水平に支持する。
【００３１】
［給紙部２０］
給紙部２０は、記録紙を積載可能な給紙カセット４６と、給紙機構４８とを有する。給紙機構４８により給紙された記録紙は、後述する第１搬送部２２により案内され、画像記録部１８によって画像が記録される。
【００３２】
給紙カセット４６は、プリンタ部１４の底部に配置される。給紙カセット４６は、記録紙が収容されるメイントレイ５０と、メイントレイ５０の前方側の上部を覆うカバートレイ５２と、カバートレイ５２に収容可能でありスライド移動可能なスライドトレイ５４とを有する。給紙カセット４６は、プリンタ部１４の正面に形成された開口５６（図１参照）から前後方向に挿抜可能である。
【００３３】
図３に示すように、メイントレイ５０は、上面が開放された箱状の部材であり、各種サイズの記録紙が積載可能である。メイントレイ５０は、記録紙が載置される底板５８と、底板５８の左右方向の両端部から立設された側板６０、６２と、底板５８の後方側の端部から立設された傾斜板６４とを有する。
【００３４】
底板５８は、メイントレイ５０の下部に配置された長方形の板状の部材である。底板５８の上面は、概ね平坦であり、記録紙が載置可能である。底板５８の上面は、前方側よりも後方側のほうが低い位置になるように緩やかに傾斜している。
【００３５】
側板６０は底板５８の左側の端部、側板６２は底板５８の右側の端部に、底板５８の前端から後端までに亘って立設される板状の部材である。側板６０の上端の高さは、対向する側板６２の上端の高さと概ね同じである。側板６０の左右方向の厚みは、側板６２の左右方向の厚みよりも大きい。側板６０の上面には後述するスライド駆動部が配置されるため、側板６０は剛性を確保するために厚く形成されている
傾斜板６４は、底板５８の後方側の端部に、底板５８の右端から左端までに亘って立設される板状の部材である。傾斜板６４は、底板５８の端部から後方側の上部に傾斜するように立設している。
【００３６】
カバートレイ５２は、メイントレイ５０の前方側の上部を覆う部材である。カバートレイ５２の前後方向の寸法は、メイントレイ５０の前後方向の寸法の３分の２程度の大きさである。また、カバートレイ５２の左右方向の寸法は、メイントレイ５０の左右方向の寸法と概ね同じである。カバートレイ５２の後端部には左右方向に延びる開口６６（図２参照）が形成されている。カバートレイ５２の内部には開口６６から繋がる空間６８が形成されており、この空間６８にスライドトレイ５４が収容される。カバートレイ５２は、メイントレイ５０から着脱可能である。カバートレイ５２は、記録済みの記録紙が保持される保持部２６と、後述する第２搬送部２８の一部を構成する搬送構成部７０とを有する。
【００３７】
保持部２６は、カバートレイ５２の前方側の上面からなり、その上面で記録済みの記録紙を保持する。保持部２６は、記録紙を保持するため概ね平坦に形成されている。保持部２６の前後方向の寸法は、メイントレイ５０の前後方向の寸法の概ね半分である。
【００３８】
搬送構成部７０は、カバートレイ５２の後端部の隆起した部分からなり、第２搬送部２８の一部を構成する。搬送構成部７０は、第２搬送路３２上を搬送される記録紙をガイドする下方傾斜ガイド７２と、記録紙を搬送する再搬送ローラ７４とを有する。
【００３９】
下方傾斜ガイド７２は、カバートレイ５２の後端に、カバートレイ５２の右端から左端までに渡って前方斜め上に傾斜するように立設される。下方傾斜ガイド７２は、その上面で第２搬送路３２上を搬送される記録紙をガイドする。なお、下方傾斜ガイド７２の上面には、貫通孔７６が配置されている。
【００４０】
再搬送ローラ７４は、下方傾斜ガイド７２の貫通孔７６から再搬送ローラ７４の上部が露出するように配置される。再搬送ローラ７４は回転可能に支持されており、再搬送ローラ７４の回転軸はカバーガイド５２に支持されている。なお、再搬送ローラ７４の数及びサイズ及び位置と、下方傾斜ガイド７２の貫通孔の数及びサイズ及び位置とは互いに対応している。つまり、下方傾斜ガイド７２の貫通孔７６は再搬送ローラ７４の上部が露出可能に形成されている。
【００４１】
再搬送ローラ７４は、駆動源であるＡＳＦモータ７８（図５参照）に連結される。再搬送ローラ７４は、複数のギアからなる第１伝達機構（不図示）を介して、ＡＳＦモータ７８の正方向への回転により正転して、記録紙をさらに下流側に搬送する。第１伝達機構は遊星ギアなどから構成され、ＡＳＦモータ７８の正方向への回転のみを再搬送ローラ７４に伝達する。再搬送ローラ７４は、ＡＳＦモータ７８が逆方向へ回転するときには回転しないように構成される。
【００４２】
スライドトレイ５４は、カバートレイ５２内部の空間６８に収容され、開口６６から出入りすることにより、メイントレイ５０の上部で前後方向にスライド移動する板状の部材である。スライドトレイ５４の左右方向の寸法は、カバートレイ５２内部の空間６８の左右方向の寸法よりも僅かに小さく形成されている。これにより、スライドトレイ５４は、カバートレイ５２内部の空間６８内をスライド移動できる。スライドトレイ５４の前後方向の寸法は、カバートレイ５２の前後方向の寸法と概ね同じである。スライドトレイ５４は、メイントレイ５０の前端側の上部に位置し、カバートレイ５２内部の空間６８に収容される前方位置（図３参照）と、メイントレイ５０の後端側の上部に位置し、第２搬送部２８の一部を構成する後方位置（図４参照）とを有する。スライドトレイ５４は、後方位置にあるとき、スライドトレイ５４の上面で第２搬送路３２上を搬送される記録紙をガイドする。スライドトレイ５４の上面は概ね平坦に形成されている。これにより、スライドトレイ５４の上面をガイドされる記録紙の搬送を安定して行うことができる。
【００４３】
スライドトレイ５４は、凸部８０（図４参照）と、第１補助ローラ８２と、第２補助ローラ８４とを有する。凸部８０は、スライドトレイ５４の左右方向の両端であって、前後方向の中央付近に配置される突起である。凸部８０は、後述する当接アーム１４２と当接可能である。凸部８０の後端は、スライドトレイ５４の上面に向かって緩やかに傾斜している。第１補助ローラ８２は、スライドトレイ５４の後方側に配置され、後述する搬送位置にある給紙ローラ１０２と当接する。これにより、第１補助ローラ８２は、搬送位置にある給紙ローラ１０２とにより記録紙を挟持して搬送する。スライドトレイ５４の後端部は、後方斜め上に緩やかに傾斜している。第２補助ローラ８４は、スライドトレイ５４の後端部の傾斜している部分に配置されており、記録紙の搬送をより安定して行うための補助的なローラである。スライドトレイ５４の後端部の傾斜と第２補助ローラ８４とにより、スライドトレイ５４の上面を案内された記録紙は、スムーズに後述する湾曲ガイドに案内される。
【００４４】
スライドトレイ５４は、図４に示すスライド駆動部８６を介して、駆動源であるＰＦモータ８８（図５参照）に連結される。ＰＦモータ８８の回転が複数のギアからなる第２伝達機構（不図示）を介してスライド駆動部８６に伝達されることにより、スライドトレイ５４はスライド移動する。スライド駆動部８６は、カバートレイ５４に配置される２つのピニオンギア９０、９２と、スライドトレイ５４に配置される２つのラックギア９４、９６とからなる。２つのピニオンギア９０、９２は、カバートレイ５２の後方の左端部に、回転可能に並設されている。２つのラックギア９４、９６は、カバートレイ５２の左端部に前後方向に延びるように並設されている。左側ラックギア９４は、左側ピニオンギア９０と噛み合い、右側ラックギア９６は右側ピニオンギア９２と噛み合うように形成される。左側ラックギア９４は後端が欠け歯になっており、右側ラックギア９６は前端が欠け歯になっている。
【００４５】
第２伝達機構は、ＰＦモータ８８の回転方向により左側ピニオンギア９０と右側ピニオンギア９２とに連結が切り換わるように構成される。ＰＦモータ８８が正方向に回転すると、第２伝達機構は左側ピニオンギア９０に連結し、左側ピニオンギア９０が矢印９８方向に回転する。左側ピニオンギア９０の回転が、左側ラックギア９４に伝達されることによりスライドトレイ５４が前方にスライド移動する。スライドトレイ５４の前端がメイントレイ５０の前端にまで到達し、スライドトレイ５４がカバートレイ５２内部の空間６８に収容されたとき、左側ピニオンギア９０は、左側ラックギア９４の後端の欠け歯部分に到達して空転する。これにより、スライドトレイ５４の移動は止まり、スライドトレイ５４は前方位置（図３に示す位置）に位置する。一方、ＰＦモータ８８が逆方向に回転すると、第２伝達機構は右側ピニオンギア９２に連結し、右側ピニオンギア９２が矢印１００方向に回転する。右側ピニオンギア９２の回転が、右側ラックギア９６に伝達されることによりスライドトレイ５４が後方にスライド移動する。スライドトレイ５４の後端がメイントレイ５０の後端にまで到達したとき、右側ピニオンギア９２は、右側ラックギア９６の前端の欠け歯部分に到達して空転する。これにより、スライドトレイ５４の移動は止まり、スライドトレイ５４は後方位置（図４に示す位置）に位置する。
【００４６】
図２に示すように、給紙機構４８は、給紙カセット４６の上方に配置される。給紙機構４８の基本的構成は公知であり、その構成は、例えば特開２００５−２４７５４２号公報などに示される。以下、簡単に給紙機構４８の構成を説明する。給紙機構４８は、積載された記録紙を給紙する給紙ローラ１０２と、給紙ローラ１０２を支持する第１ローラ支持アーム１０４とを有する。
【００４７】
給紙ローラ１０２は、第１ローラ支持アーム１０４に回転可能に設けられる。給紙ローラ１０２が、メイントレイ５０の底板５８に積載された記録紙Ｐに当接した状態で回転することにより記録紙が搬送される。
【００４８】
第１ローラ支持アーム１０４は、一方の端側に給紙ローラ１０２を支持し、他方の端側が軸１０６により支持される棒状の部材である。第１ローラ支持アーム１０４は軸１０６を中心に回動可能に設けられ、自重又はバネ（不図示）の付勢により、給紙ローラ102が下方に移動する向きに力が作用する。軸１０６は、プリンタ部１４のフレーム（不図示）に固定されている。また、第１ローラ支持アーム１０４には、給紙ローラ１０２と、給紙ローラ１０２の駆動源であるＡＳＦモータ７８（図６参照）とを連結する複数のギアからなる第３伝達機構１０８が支持される。第３伝達機構１０８は、ＡＳＦモータ７８の正方向への回転を給紙ローラ１０２に伝達し、給紙ローラ１０２を正転させるように構成される。これにより、給紙ローラ１０２に当接する記録紙は第１搬送部２２に向けて搬送される。一方、第３伝達機構１０８は、遊星ギアを有し、ＡＳＦモータ７８の逆方向への回転を給紙ローラ１０２に伝達しないように構成される。これにより、給紙ローラ１０２は、ＡＳＦモータ７８が逆方向へ回転するときには回転しない。
【００４９】
また、第１ローラ支持アーム１０４は、軸１０６を中心とした回動により給紙位置（不図示）と搬送位置（図２に示す位置）とに回動する。
【００５０】
第１ローラ支持アーム１０４の給紙位置において、給紙ローラ１０２は、第１ローラ支持アーム１０４の軸１０６に対して後方斜め下に位置するとともに、給紙カセット４６に積載された記録紙Ｐに当接している。第１ローラ支持アーム１０４が給紙位置にあるとき、ＡＳＦモータ７８が正方向へ回転すると、給紙ローラ１０２が積載された記録紙Ｐの上で正転する。これにより、積載された記録紙は第１搬送部２２に向けて搬送される。なお、第１ローラ支持アーム１０４が給紙位置にあるときに給紙カセット４６が複合機１０から抜き取られる際には、第１ローラ支持アーム１０４は、給紙ローラ１０２が上方に移動するように軸１０６を中心に回動する。これにより、給紙ローラ１０２は、上方へ移動して給紙カセット４６の挿抜領域から退避する。
【００５１】
図２に示す第１ローラ支持アーム１０４の搬送位置において、給紙ローラ１０２は、第１ローラ支持アーム１０４の軸１０６と概ね同じ高さに位置する。第１ローラ支持アーム１０４の搬送位置では、給紙ローラ１０２はスライドトレイ５４上の第１補助ローラ８２に当接している。第１ローラ支持アーム１０４が搬送位置にあるとき、ＡＳＦモータ７８が正方向へ回転すると、給紙ローラ１０２が正転する。これにより、スライドトレイ５４上の記録紙は、給紙ローラ１０２と第１補助ローラ８２とにより挟持されて第１搬送部２２に向けて搬送される。
【００５２】
第１ローラ支持アーム１０４の給紙位置及び搬送位置への回動は、スライドトレイ５４の前方位置及び後方位置への移動により行われる。スライドトレイ５４が前方位置から後方位置へ移動するとき、スライドトレイ５４の後端が給紙位置にある第１ローラ支持アーム１０４に当接し、スライドトレイ５４の後方への移動に伴い第１ローラ支持アーム１０４が押し上げられるように回動する。第１ローラ支持アーム１０４が回動すると、その延出端部に配置された給紙ローラ１０２はメイントレイ５０に収容された記録紙Ｐから離間する。スライドトレイ５４の後方位置への移動が完了すると、第１ローラ支持アーム１０４はスライドトレイ５４により搬送位置に支持され、給紙ローラ１０２はスライドトレイ５４の第１補助ローラ８２に当接する。一方、スライドトレイ５４が後方位置から前方位置へ移動すると、スライドトレイ５４が第１ローラ支持アーム１０４と当接しなくなるため、第１ローラ支持アーム１０４は自重又はバネによる付勢力により搬送位置から給紙位置へ回動する。
【００５３】
なお、給紙カセット４６がプリンタ部１４から抜き出される際に、第１ローラ支持アーム１０４が給紙位置にあるときは、第１ローラ支持アーム１０４は、給紙ローラ１０２が上方に移動するように軸１０６を中心に回動する。これにより、給紙ローラ１０２は上方へ移動して給紙カセット４６の挿抜領域から退避する。一方、給紙カセット４６がプリンタ部１４から抜き出される際に、第１ローラ支持アーム１０４が搬送位置にあるときは、第１ローラ支持アーム１０４及び給紙ローラ１０２は、既に給紙カセット４６の挿抜領域から退避した位置にあるため、第１ローラ支持アーム１０４はほとんど回動しない。
【００５４】
［第１搬送部２２］
第１搬送部２２は、給紙カセット４６の上端付近から、画像記録部１８を経由して、後述する切換部２４の後方までに亘って配置される。第１搬送部２２は、記録紙が画像記録部１８を経由した後に切換部２４に至るように記録紙を搬送する。第１搬送部２２は、記録紙を案内する湾曲ガイド１１０及び排出ガイド（不図示）と、記録紙を搬送する搬送ローラ対１１２及び排出ローラ対１１４とを有する。
【００５５】
湾曲ガイド１１０は、給紙部２０より下流側から画像記録部１８より上流側までに亘って延設され、プリンタ部１４の内部側を中心とする概ね円弧状の部材である。ここで、上流側及び下流側とは、記録紙が、第１搬送部２２を給紙部２０から切換部２４に向かって搬送されるときの搬送方向において上流側及び下流側である。以下、単に「上流側」及び「下流側」と略称する。給紙ローラ１０２によって搬送された記録紙は、湾曲ガイド１１０の内側ガイド面１１１に案内されて、下方から上方にＵターンするように搬送される。
【００５６】
排出ガイドは、画像記録部１８より下流側から後述する切換部２４より上流側までに亘って延設される部材である。排出ガイド６２は、記録済みの記録紙を排出ガイドの上面で概ね水平に支持する。
【００５７】
搬送ローラ対１１２は湾曲ガイド１１０の前方、かつ画像記録部１８の後方に配置される。搬送ローラ対１１２は、駆動される搬送ローラ１１６と、搬送ローラ１１６に圧接されると共に、搬送ローラ１１６に従動して回転する第１ピンチローラ１１８とからなる。湾曲ガイド１１０により案内された記録紙は、搬送ローラ対１１２により挟持されて画像記録部１８に向けて搬送される。なお、第１ピンチローラ１１８は、搬送ローラ１１６の上方に配置されている。
【００５８】
排出ローラ対１１４は、画像記録部１８の前方、かつ排出ガイドの後方に配置される。排出ローラ対１１４は、駆動される排出ローラ１２０と、排出ローラ１２０に圧接されると共に、排出ローラ１２０に従動して回転する第２ピンチローラ１２２とからなる。画像記録部１８を通過した記録紙は、排出ローラ対１１４により挟持されて排出ガイドに向けて搬送される。なお、第２ピンチローラ１２２は、排出ローラ１２０の下方に配置されている。第２ピンチローラ１２２は、拍車状のローラにより構成されている。これにより、記録された画像への影響を少なくすることができる。
【００５９】
搬送ローラ１１６及び排出ローラ１２０は、駆動源であるＰＦモータ８８（図６参照）に連結される。搬送ローラ１１６及び排出ローラ１２０は、第４伝達機構（不図示）を介して、ＰＦモータ８８の回転が伝達されて回転する。第４伝達機構は遊星ギアなどを有し、搬送ローラ１１６及び排出ローラ１２０が各ローラの配置位置から記録紙をさらに下流側に搬送する方向のみに回転するように構成される。
【００６０】
［切換部２４］
切換部２４は、第１搬送部２２の下流側に配置される。切換部２４は、第１搬送部２２から搬送された記録紙を、保持部２６に排紙するか、もしくは後述の第２搬送部２８に案内するかに搬送方向を切り換える。切換部２４は、正逆方向に回転して記録紙の搬送方向を切り換えるスイッチバックローラ対１２４と、開口１２６とを有する。開口１２６は、スイッチバックローラ対１２４の後方に配置される第２搬送部２８への進入口である。
【００６１】
スイッチバックローラ対１２４は、排出ガイドより前方、かつ保持部２６より後方に配置される。スイッチバックローラ対１２４は、駆動されるスイッチバックローラ１２８と、スイッチバックローラ１２８に圧接されると共に、スイッチバックローラ１２８に従動して回転する第３ピンチローラ１３０とからなる。スイッチバックローラ１２８は、正逆方向に回転可能である。スイッチバックローラ１２８の正転により、記録紙は保持部２６に向かって搬送される。一方、スイッチバックローラ１２８の逆転により、記録紙は逆向きに搬送される。なお、第３ピンチローラ１３０は、スイッチバックローラ１２８の上方に配置されている。第３ピンチローラ１３０は、拍車状のローラにより構成されていている。これにより、記録された画像への影響を少なくすることができる。
【００６２】
スイッチバックローラ１２８は、駆動源であるＰＦモータ８８に連結される。スイッチバックローラ１２８は、複数のギアからなる第５伝達機構（不図示）を介して、ＰＦモータ８８の回転が伝達されて回転する。ＰＦモータ８８は、正逆方向に駆動可能であり、スイッチバックローラ１２８は、ＰＦモータ８８の正方向の回転により正転し、逆方向の回転により逆転する。
【００６３】
排出ローラ対１２０により下流側に搬送される記録紙は、排出ガイドの上面に案内された後、開口１２６の上部を通過し、スイッチバックローラ対１２４に至る。スイッチバックローラ対１２４に至った記録紙は、スイッチバックローラ１２８の正転によりさらに下流側に搬送される。スイッチバックローラ１２８の正転により搬送され、後端が、スイッチバックローラ対１２４の挟持位置よりも下流側に搬送された記録紙は、自重により落下してカバートレイ５２の保持部２６上に排紙される。ここで、記録紙の後端とは、搬送される記録紙の後端側の縁である。一方、スイッチバックローラ１２８の正転により搬送された記録紙の後端が、開口１２６の上方に位置するときにスイッチバックローラ１２８が逆転すると、スイッチバックローラ対１２４に挟持された記録紙は逆向きに搬送される。逆向きに搬送される記録紙は、その搬送方向における先端が開口１２６に進入して第２搬送部２８に向かって搬送される。
【００６４】
ここで、スイッチバックローラ１２８の駆動源であるＰＦモータ８８は、スライドトレイ５４の駆動源でもある。スイッチバックローラ１２８が正転しているとき、スライドトレイ５４は前方位置（図３に示す位置）への移動中もしくは前方位置に位置する。一方、スイッチバックローラ１２８が逆転しているとき、スライドトレイ５４は後方位置（図４に示す位置）への移動中もしくは後方位置に位置する。
【００６５】
［第２搬送部２８］
第２搬送部２８は、スイッチバックローラ対１２４の後方斜め下から、プラテン３８と給紙部２０の間を通り、第１搬送部２２を構成する湾曲ガイド１１０の前方までに亘って配置されている。第２搬送部２８は、切換部２４から搬送された記録紙を湾曲ガイド１１０に向かって搬送する。第２搬送部２８は、記録紙を案内する上方傾斜ガイド１３２と、下方傾斜ガイド７２と、記録紙を搬送する再搬送ローラ７４と、再搬送ローラ７４とにより記録紙を挟持する第４ピンチローラ１３４と、後方位置に位置するスライドトレイ５４と、第４ピンチローラ１３４を再搬送ローラ７４から接離させる接離機構１３６とを有する。なお、下方傾斜ガイド７２及び再搬送ローラ７４は、給紙カセット４６の一部である。
【００６６】
上方傾斜ガイド１３２は、スイッチバックローラ対１２４の挟持位置の後方から、後方斜め下に延設される部材である。上方傾斜ガイド１３２は、開口１２６から進入した記録紙を上方傾斜ガイド１３２の上面で支持する。上方傾斜ガイド１３２上を搬送された記録紙は、下方傾斜ガイド７２に搬送される。
【００６７】
下方傾斜ガイド７２は、カバートレイ５２の搬送構成部７０に配置されている。下方傾斜ガイド７２は、その上面で上方傾斜ガイド１３２から搬送された記録紙をガイドする。下方傾斜ガイド７２の傾斜角度は、上方傾斜ガイド１３２の傾斜角度と概ね同じである。上方傾斜ガイド１３２から搬送された記録紙は、下方傾斜ガイド７２上を搬送された後、後方位置に位置するスライドトレイ５４上に案内される。
【００６８】
再搬送ローラ７４は、下方傾斜ガイド７２の貫通孔７６から再搬送ローラ７４の上部が露出するように配置されている。再搬送ローラ７４は、駆動源であるＡＳＦモータ７８に連結される。再搬送ローラ７４は、第６伝達機構（不図示）を介して、ＡＳＦモータ７８の回転が伝達されて回転する。第６伝達機構は遊星ギアなどから構成され、ＡＳＦモータ７８が正逆転方向のいずれに回転しても再搬送ローラ７４が記録紙をスライドトレイ５４に向かって搬送する方向のみに回転するように構成される。
【００６９】
第４ピンチローラ１３４は、再搬送ローラ７４に圧接される圧接位置と再搬送ローラ７４から離間する離間位置とを有する。記録紙が第２搬送部２８により搬送されているとき、第４ピンチローラ１３４は、再搬送ローラ７４に圧接されており、再搬送ローラ７４に従動して回転する。再搬送ローラ７４と第４ピンチローラ１３４とにより挟持される記録紙は、スライドトレイ５４に向けて搬送される。
【００７０】
後方位置に位置するスライドトレイ５４は、下方傾斜ガイド７２の下端から湾曲ガイド１１０の前方までに亘って延びており、スライドトレイ５４の上面で下方傾斜ガイド７２から搬送された記録紙をガイドする。ここで、記録紙が第２搬送部２８に搬送されるときは、スイッチバックローラ１２８が逆転しているときであるため、スライドトレイ５４は後方位置に位置している。スライドトレイ５４が後方位置に位置するとき、給紙ローラ１０２がスライドトレイ５４の第１補助ローラ８２上に位置している。スライドトレイ５４上を搬送される記録紙は、給紙ローラ１０２と第１補助ローラ８２とにより挟持されて、湾曲ガイド１１０に向けて搬送される。スライドトレイ５４上を搬送された記録紙は、第１搬送部２４を構成する湾曲ガイド１１０に到達し、湾曲ガイド１１０の内側ガイド面１１１に案内されて下方から上方にＵターンするように画像記録部１８に向かって搬送される。
【００７１】
次に、第４ピンチローラ１３４を圧接位置（図２に示す位置）と離間位置とに移動させる図３に示す接離機構１３６について説明する。接離機構１３６は、支持軸１３８と、第２ローラ支持アーム１４０と、当接アーム１４２と、押圧アーム１４４と、スライドトレイ５４の凸部８０（図４参照）とにより構成される。
【００７２】
支持軸１３８は、第１ローラ支持アーム１０４の軸１０６の前方に配置され、左右方向に延出されている。支持軸１３８の両端部はプリンタ部１４のフレームに回転可能に支持されている。
【００７３】
図６に示すように、第２ローラ支持アーム１４０は、支持軸１３８の左右方向の中央に配置され、支持軸１３８から前方に延出される板状の部材である。第２ローラ支持アーム１４０は、その延出端部に、第４ピンチローラ１３４を回転可能に支持している。第２ローラ支持アーム１４０は、支持軸１３８に対して相対的に回動可能であり、第４ピンチローラ１３４が再搬送ローラ７４に対して接離するように回動する。
【００７４】
第２ローラ支持アーム１４０の上面１６０における中央には、Ｔ字状のストッパ部１４６が立設している。ストッパ部１４６は、柱部分１４８と、柱部分１４８の上部に配置され、左右方向に延びる屋根部分１５０とを有する。図３に示すようにストッパ部１４６の柱部分１４８には、柱部分１４８よりも全長が長い圧縮バネである第１バネ１５２が柱部分１４８の周囲を取り囲むように配置されている。
【００７５】
図２に示すように、第２ローラ支持アーム１４０の延出端部の中央には、引っ張りバネである１つの第２バネ１５４の一端が取り付けられている。なお、第２バネ１５４は複数個設けられていても良い。第２バネ１５４の他端は、プリンタ部１４のフレームに取り付けられている。第２バネ１５４は、第２ローラ支持アーム１４０の延出端部を上方に付勢している。つまり、第２バネ１５４は、第２ローラ支持アーム１４０を、その延出端部に配置された第４ピンチローラ１３４が再搬送ローラ７４から離間する向きに付勢する。これにより、記録紙が互いに離間した状態の再搬送ローラ７４と第４ピンチローラ１３４との間に到達したとしてもジャムが発生する恐れがない。なお、第２バネ１５４の付勢力は、第１バネ１５２の付勢力よりも弱く設定されている。
【００７６】
図７に示すように当接アーム１４２は、支持軸１３８の両端部に配置され、支持軸１３８から後方に延出される棒状の部材である。当接アーム１４２は、支持軸１３８に固定されており、支持軸１３８を中心に回動可能である。当接アーム１４２は、スライドトレイ５４の両端部に配置される凸部８０（図４参照）と当接可能な位置に配置され、スライドトレイ５４のスライド移動に伴って凸部８０と当接することにより回動される。図３に示すようにスライドトレイ５４が前方位置にあるとき、当接アーム１４２はスライドトレイ５４とは当接しない。このとき、当接アーム１４２の延出端部は支持軸１３８の前方斜め下に位置している。一方、図４に示すようにスライドトレイ５４が後方位置にあるとき、当接アーム１４２はスライドトレイ５４の凸部８０に当接し、凸部８０の上部に乗り上げた状態になる。このとき、当接アーム１４２の延出端部は支持軸１３８と概ね水平に位置している。
【００７７】
つまり、スライドトレイ５４が前方位置から後方位置へスライド移動すると、当接アーム１４２は凸部８０により押し上げられるように回動し、当接アーム１４２の延出端部は下方から上方へ移動する。なお、スライドトレイ５４が後方位置への移動が完了する直前に、凸部８０が当接アーム１４２に当接し、当接アーム１４２が凸部８０に乗り上げるように形成されている。一方、スライドトレイ５４が後方位置から前方位置へスライド移動すると、当接アーム１４２は凸部８０と当接しなくなるため、凸部８０による押し上げから解放されることにより回動し、当接アーム１４２の延出端部は上方から下方へ移動する。
【００７８】
図７に示すように押圧アーム１４４は、支持軸１３８の左右方向の中央に配置され、支持軸１３８から前方に、即ち当接アーム１４２の延出方向と概ね逆向きに延出される板状の部材である。押圧アーム１４４は、支持軸１３８に固定されており、支持軸１３８を中心に回動可能である。押圧アーム１４４の延出端部には、前後方向に長い切欠きが形成されている。図３に示すように、押圧アーム１４４は、切欠きによって、第２ローラ支持アーム１４０におけるストッパ部１４６の柱部分１４８を挟み込むように配置されている。このとき、押圧アーム１４４はストッパ部１４６の柱部分１４８に取り付けられた第１バネ１５２の上部に配置される。つまり、押圧アーム１４４は、第１バネ１５２とストッパ部１４６の屋根部分１５０との間に配置されている。押圧アーム１４４と第２ローラ支持アーム１４０とは、第１バネ１５２により互いに離間する向きに付勢されている。なお、押圧アーム１４４の切欠きの左右方向の寸法は、ストッパ部１４６の屋根部分１５０の左右方向の寸法及び第１バネ１５２の直径よりも小さく形成されている。これにより、押圧アーム１４４の回動は、ストッパ部１４６の屋根部分１５０により、第２ローラ支持アーム１４０と離れすぎないように規制されている。これにより、押圧アーム１４４が第２ローラ支持アーム１４０から離間する向きに回動して第１ローラ支持アーム１０４と当接してしまうのを防ぐことができる。従って、第１ローラ支持アーム１０４に支持される給紙ローラ１０２が、メイントレイ５０に収容された記録紙と当接する当接力に影響が及ばない。
【００７９】
図７に示すように、押圧アーム１４４と当接アーム１４２とは、支持軸１３８に固定されているため、押圧アーム１４４は当接アーム１４２の回動に連動して回動する。スライドトレイ５４の前方位置（図３参照）から後方位置への移動に伴い、図４に示すように当接アーム１４２がその延出端部が下方から上方へ移動するように回動すると、押圧アーム１４４は当接アーム１４２の回動に連動して、押圧アーム１４４の延出端部が上方から下方へ移動するように回動する。この押圧アーム１４４の回動により、押圧アーム１４４と第２ローラ支持アーム１４０との間に配置された第１バネ１５２には、第１バネ１５２を圧縮するように力が働く。第１バネ１５２に働く力は、第２ローラ支持アーム１４０に伝達される。ここで、第１バネ１５２の付勢力は、第２ローラ支持アーム１４０を上方に付勢する第２バネ１５４の付勢力よりも大きい。そのため、第２バネ１５４は伸張し、第２ローラ支持アーム１４０には第１バネ１５２を介して押圧アーム１４４による押圧力が働き、第２ローラ支持アーム１４０は、その延出端部が上方から下方へ移動するように回動する。この回動により、第２ローラ支持アーム１４０の延出端部に配置された第４ピンチローラ１３４は、再搬送ローラ７４に圧接される。
【００８０】
一方、スライドトレイ５４の後方位置から前方位置への移動に伴い、図３に示すように当接アーム１４４の延出端部が上方から下方へ移動するように回動すると、押圧アーム１４４に生じていた押圧力がなくなる。これにより、押圧アーム１４４はその延出端部が下方から上方に移動するように回動する。この押圧アーム１４４の回動により第１バネ１５２に働いていた、第１バネ１５２を圧縮させる力もなくなる。よって、第２ローラ支持アーム１４０には、第２バネ１５４の付勢力だけが働く。これにより、第２ローラ支持アーム１４０はその延出端部が下方から上方へ移動するように回動し、第４ピンチローラ１３４は再搬送ローラ７４から離間する。
【００８１】
なお、記録紙が第２搬送部２８に搬送されるときは、スイッチバックローラ１２８が逆転しているときである。スイッチバックローラ１２８が逆転しているとき、スライドトレイ５４は後方位置に位置しているため、第４ピンチローラ１３４は再搬送ローラ７４に圧接される圧接位置に位置する。
【００８２】
［両面記録動作］
以下に、プリンタ部１４における記録動作について説明する。
【００８３】
複合機１０に対して記録の指示が入力されると、複合機１０の制御部１５６（図５参照）により各駆動力源が駆動される。ここで、各駆動力源とは、ＣＲモータ４４、ＡＳＦモータ７８、ＰＦモータ８８などである。制御部１５６は、ＰＦモータ８８をＡＳＦモータ７８よりも所定時間だけ早く正方向への回転を開始させる。ＰＦモータ８８が正方向への回転を始めると、スライド駆動部８６の左側ピニオンギア９０にＰＦモータ８８の回転が伝達され、スライドトレイ５４はメイントレイ５０上のどの位置にあっても、前方位置へスライド移動する。これにより、記録の指示が入力される前にスライドトレイ５４が後方位置に位置していたとしても、スライドトレイ５４は前方位置に移動するため、給紙ローラ１０２による給紙を妨げることがない。
【００８４】
ＡＳＦモータ７８の正方向への回転により、給紙ローラ１０２が正転する。これにより、給紙ローラ１０２はメイントレイ５０に収容された記録紙を第１搬送路３０に給紙する。
【００８５】
給紙された記録紙は、湾曲ガイド１１０の内側ガイド面１１１に沿って下方から上方にＵターンするように搬送される。
【００８６】
搬送ローラ対１１２に到達した記録紙は、搬送ローラ対１１２により下流側に搬送され、プラテン３８の上面に案内される。プラテン３８上を搬送される記録紙は、画像記録部１８により画像が記録される。なお、搬送ローラ対１１２による記録紙の搬送が開始されると、ＡＳＦモータ７８の回転は停止される。
【００８７】
画像が記録された記録紙は、排出ローラ対１１４により下流側に搬送され、排出ガイドの上面に案内される。排出ガイド上を搬送された記録紙は、開口１２６の上方を通過してスイッチバックローラ対１２４に到達する。
【００８８】
ここで、複合機１０に入力された指示が片面記録の指示であった場合には、スイッチバックローラ１２４の正転により、記録紙は保持部２６に排紙される。一方、複合機１０に入力された指示が両面記録の指示であった場合には、スイッチバックローラ１２４は所定量正転した後に逆転する。スイッチバックローラ１２４の逆転により搬送される記録紙は、その搬送方向における先端が開口１２６に進入することにより、第２搬送部２８に案内される。
【００８９】
なお、ここで、スイッチバックローラ１２４の正転から逆転への切換は、ＰＦモータ８８の回転方向の切換によって行われている。よって、ＰＦモータ８８が逆方向への回転を始めると、スライド駆動部８６の右側ピニオンギア９２にＰＦモータ８８の回転が伝達され、スライドトレイ５４は、前方位置から後方位置へスライド移動を開始する。
【００９０】
スライドトレイ５４が前方位置から後方位置へスライド移動すると、スライドトレイ５４は第１ローラ支持アーム１０４に当接し、第１ローラ支持アーム１０４を押し上げるように回動させる。これにより、第１ローラ支持アーム１０４の延出端部に配置された給紙ローラ１０２は、メイントレイ５０に収容された記録紙Ｐから離間する。さらに、スライドトレイ５４が後方にスライド移動し、スライドトレイ５４の後方位置への移動が完了する直前に、スライドトレイ５４の両端に配置された凸部８０が、第４ピンチローラ１３４を接離させる接離機構１３６を構成する当接アーム１４２に当接する。そして、スライドトレイ５４が後方位置へのスライド移動を完了するまで後方に移動すると、当接アーム１４２の延出端部がスライドトレイ５４の凸部８０に乗り上げるように下方から上方に移動する。当接アーム１４２がその延出端部が下方から上方に移動するように回動すると、前述したように、押圧アーム１４４により第２ローラ支持アーム１４０が上方から下方に押圧される。第２ローラ支持アーム１４０が押圧されて回動すると、第２ローラ支持アーム１４０の延出端部に配置された第４ピンチローラ１３４が再搬送ローラ７４に圧接される。また、スライドトレイ５４の後方位置への移動が完了したとき、第１ローラ支持アーム１０４はスライドトレイ５４により搬送位置に支持され、給紙ローラ１０２はスライドトレイ５４の第１補助ローラ８２に当接している。
【００９１】
つまり、スライドトレイ５４の前方位置から後方位置へのスライド移動により、まず給紙ローラ１０２がメイントレイ５０に収容された記録紙Ｐから離間する。給紙ローラ１０２がメイントレイ５０に収容された記録紙から離間した後に、第４ピンチローラ１３４が再搬送ローラ７４に圧接される。
【００９２】
ここで、ＰＦモータ８８の回転方向が正方向から逆方向へ切り換わってから、所定時間経過後にＡＳＦモータ７８の正方向への回転が開始される。所定時間は、ＰＦモータ８８の逆方向への回転開始、即ちスライドトレイ５４の後方位置への移動開始から、給紙ローラ１０２がメイントレイ５０に収容された記録紙から離間するまでの時間以上に設定されている。なお、給紙ローラ１０２がメイントレイ５０に収容された記録紙から離間するまでの時間は、メイントレイ５０に収容された記録紙の枚数によって異なる。そのため、給紙ローラ１０２がメイントレイ５０に収容された記録紙から離間するまでの時間は、メイントレイに収容される記録紙が最大枚数である場合を基準とする。つまり、スライドトレイ５４が後方位置へ移動を開始してから、給紙ローラ１０２がメイントレイ５０に収容された記録紙から離間するまでの時間は、メイントレイに収容される記録紙が最大枚数である場合が一番長い。メイントレイに最大枚数収容されている場合は、給紙ローラ１０２を支持する第１ローラ支持アーム１０４の傾斜角度が緩やかであるため、スライドトレイ５４が第１ローラ支持アームに当接するのが遅いからである。これにより、ＡＳＦモータ７８が正方向への回転を開始し、給紙ローラ１０２及び再搬送ローラ７４が回転を開始するとき、給紙ローラ１０２はメイントレイ５０に収容された記録紙から離間しているため、給紙ローラ１０２により誤って記録紙が給紙される恐れがない。また、ＡＳＦモータ７８が正方向への回転を開始するとき第４ピンチローラ１３４は再搬送ローラ７４に圧接される前であるため、スイッチバックローラの逆転により第２搬送部２８に搬送された記録紙が、第４ピンチローラ１３４と再搬送ローラ７４との挟持位置に到達していたとしても、再搬送ローラ７４が停止していないため、紙ジャムが発生する恐れがない。このように形成されているため、ＰＦモータ８８の逆方向への回転が開始されてから、即ち、スイッチバックローラ１２８の逆転が開始されてから、ＡＳＦモータ７８の正方向への回転を開始させるまでの待機時間を短縮させることができる。
【００９３】
上述のように、スイッチバックローラ１２８が逆転を開始すると、スライドトレイ５４が前方位置から後方位置へ移動する。スライドトレイ５４の後方位置への移動に伴い、第２ローラ支持アーム１４０は搬送位置に移動し、第４ピンチローラ１３４は再搬送ローラ７４に圧接される。これにより、スイッチバックローラ１２８の逆転により第２搬送部２８に搬送された記録紙は、上方傾斜ガイド１３２の上面に案内された後に、下方傾斜ガイド７２に案内される。下方傾斜ガイド７２の上面に案内された記録紙は、再搬送ローラ７４と第４ピンチローラ１３４とにより挟持されて、スライドトレイ５４に向けて搬送される。なお、ＡＳＦモータ７８の回転は、第２搬送部２８に搬送された記録紙の後端が、給紙ローラ１０２と第１補助ローラ８２との挟持位置を通過した後に停止する。
【００９４】
スライドトレイ５４に案内された記録紙は、スライドトレイ５４上の第２補助ローラ８４と給紙ローラ１０２とにより挟持されて湾曲ガイド１１０に向けて搬送される。
【００９５】
湾曲ガイド１１０に案内された記録紙は、再び、湾曲ガイド１１０の内側ガイド面１１１に沿って下方から上方にＵターンするように搬送される。湾曲ガイド１１０により搬送された記録紙は、搬送ローラ対１１２により搬送され、画像記録部１８により画像が記録される。画像が記録された記録紙は、排出ローラ対１１４により搬送され、排出ガイド上を案内される。排出ガイド上を搬送された記録紙は、開口１２６の上方を通過した後に、スイッチバックローラ対１２４により搬送され、保持部２６へ排紙される。
【００９６】
本発明の複合機１０によれば、記録紙が第２搬送部２８に搬送される場合であって、給紙ローラ１０２の駆動力源と再搬送ローラ７４の駆動力源とを同一とした場合に、給紙ローラ１０２がメイントレイ５０に収容された記録紙に当接しているときは、第４ピンチローラ１３４は再搬送ローラ７４に圧接されていないため、第２搬送部２８に案内された記録紙が第４ピンチローラ１３４と再搬送ローラ７４とに衝突してジャムしてしまう恐れがない。
【００９７】
本実施形態における画像記録部１８が、本発明の記録部の一例である。給紙ローラ１０２が、給送ローラの一例である。第１搬送部２４のうちの画像記録部１８より上流側が、主搬送部の一例である。切換部２６及び第２搬送部２８が、再搬送部の一例である。再搬送ローラ７４及び第４ピンチローラ１３４が、再搬送ローラ対の一例である。ＡＳＦモータ７８が、第１駆動力源の一例である。第２ローラ支持アーム１４０が、支持部の一例である。第２バネ１５４が、第１付勢部の一例である。第１ローラ支持アーム１０４が、支持アームの一例である。給紙ローラ１０２がメイントレイ５０に収容された記録紙に当接しているときの第１ローラ支持アーム１０４の回動位置が、支持アームの第１位置の一例である。また、給紙ローラ１０２がメイントレイ５０に収容された記録紙から離間しているときの第１ローラ支持アーム１０４の回動位置が、支持アームの第２位置の一例である。スライドトレイ５４が、第１駆動部の一例である。接離機構１３６が、第２駆動部の一例である。スイッチバックローラ対１２４が、正逆転ローラの一例である。ＰＦモータ８８が、第２駆動力源の一例である。当接アーム１４２及び押圧アーム１４４及び第１バネ１５２が、押圧部の一例である。第１バネ１５２が、第２付勢部の一例である。ストッパ部１４６が、ストッパ部の一例である。
【００９８】
［変形例］
複合機１０は、プリンタ部１４を備えていればよく、例えばスキャナ部１６を備えていなくてもよい。
【００９９】
プリンタ部１４は、インクにより画像を記録する画像記録部１８を有するインクジェットプリンタであるが、画像を記録できるプリンタであればよい。例えば、プリンタ部は、トナーにより画像を記録する画像記録部を有するレーザープリンタなどであってもよい。
【０１００】
給紙カセット４６は、メイントレイ５０と、カバートレイ５２と、スライドトレイ５４とを有するとしたが、この構成に限られない。例えば、給紙カセット４６は、記録紙が収容されるメイントレイ５０だけを有し、カバートレイ５２及びスライドトレイ５４は、プリンタ部１４に配置されていても良い。
【０１０１】
また、カバートレイ５２は、保持部２６と、第２搬送部２８の一部を構成する搬送構成部７０とを有するとしたが、この構成に限られない。例えば、搬送構成部７０は、プリンタ部１４に配置されていても良い。
【０１０２】
また、スライドトレイ５４はカバートレイ５２に収容可能としたが、スライドトレイは収容されなくても良い。また、スライドトレイ５４は、凸部８０と、第１補助ローラ８２と、第２補助ローラ８４とを有するとしたが、この構成に限られず、凸部８０と、第１補助ローラ８２と、第２補助ローラ８４とを有していなくても良い。なお、スライドトレイ５４が凸部８０を有しない場合には、第１ローラ支持アーム１０４に凸部を設け、第１ローラ支持アーム１０４の凸部に連動して押圧アーム１４４が第２ローラ支持アーム１４０を押圧する構成とする。
【０１０３】
給紙機構４８の第１ローラ支持アーム１０４は、搬送位置にあるとき、第１補助ローラ８２に当接し、第１補助ローラ８２とにより記録紙を挟持して搬送するとしたが、この構成に限られない。第１ローラ支持アーム１０４が回動したときに、搬送位置よりもさらに上方であり第１補助ローラ８２と当接しない位置に第１ローラ支持アーム１０４を支持する部材を設けて、記録紙を搬送しない構成であっても良い。
【０１０４】
第１搬送部２４は、湾曲ガイド１１０と、排出ガイドと、搬送ローラ対１１２と排出ローラ対１１４とを備えるとしたが、この構成に限られない。第１搬送部２４は、給紙された記録紙を画像記録部に向けて搬送した後に保持部２６に向けて搬送できる構成であればよい。例えば、湾曲ガイド１１０は、円弧状の部材であるとしたが、給紙された記録紙を画像記録部１８に向けてガイドできる構成であれば良い。また、記録紙をガイドするガイド部材をさらに有していても良い。搬送ローラ対１１２は、駆動力が伝達される搬送ローラ１１６の下方に従動回転する第１ピンチローラ１１８を有していたが、搬送ローラ１１６の上方に第１ピンチローラ１１８を有していても良い。
【０１０５】
切換部２６は、スイッチバックローラ対１２４と開口１２６とを有するとしたが、この構成に限られない。切換部２６は、画像が記録された記録紙の搬送方向が切り換えられて、第２搬送部２８に搬送できる構成であれば良い。例えば、切換部２６は記録紙の搬送方向を切り換えるフラップ部材をさらに有していても良い。また、スイッチバックローラ対１２４は、駆動力が伝達されるスイッチバックローラ１２８の上方に従動回転する第３ピンチローラ１３０を有していたが、スイッチバックローラ１２８の下方に第３ピンチローラ１３０を有していても良い。
【０１０６】
第２搬送部２８はスイッチバックローラ対１２４の後方斜め下から、プラテン３８と給紙部２０の間を通り、第１搬送部２２を構成する湾曲ガイド１１０の前方までに亘って配置されるとしたが、この構成に限られない。第２搬送部２８は、画像が記録された記録紙を、画像記録部の上流側に搬送できる構成であれば良い。例えば、第２搬送部２８を搬送される記録紙のガイド部材である下方傾斜ガイド７２及びスライドトレイ５４は、給紙カセット４６の一部であるとしたが、給紙カセット４６とは別の部材により構成しても良い。
【０１０７】
接離機構１３６は、支持軸１３８と、第２ローラ支持アーム１４０と、当接アーム１４２と、押圧アーム１４４と、スライドトレイ５４の凸部８０とにより構成されるとしたが、これに限られない。接離機構１３６は、再搬送ローラ７４と第４ピンチローラ１３４とを接離させる機構であれば良い。例えば、接離機構１３６は、スライドトレイ５４の凸部８０により当接アーム１４２が回動し、当接アーム１４２の回動に連動して押圧アーム１４４が第２ローラ支持アーム１４０を押圧するとしたが、スライドトレイ５４のスライド移動に連動して回動する第１ローラ支持アーム１０４に例えば凸部を設け、凸部に連動して押圧アーム１４４が第２ローラ支持アーム１４０を押圧する構成であっても良い。
【０１０８】
第２バネ１５４は、第２ローラ支持アーム１４０とプリンタ部１４のフレームの間に取り付けられた引っ張りバネとしたが、これに限られない。第２バネ１５４は、第４ピンチローラ１３４と再搬送ローラ７４とを離間する向きに付勢できる構成であれば良い。
【０１０９】
スライドトレイ５４のスライド移動により第１ローラ支持アーム１０４が回動するとしたが、この構成には限られない。第１ローラ支持アーム１０４を回動させるための別の部材を設けても良い。
【０１１０】
当接アーム１４２及び押圧アーム１４４は、支持軸１３８に配置され、支持軸１３８から前方もしくは後方に延出される部材としたが、この構成に限られない。当接アーム１４２及び押圧アーム１４４は、第２ローラ支持アーム１４０を押圧可能な構成であれば良い。
【０１１１】
第１バネ１５２は、第２ローラ支持アーム１４０のストッパ部１４６の柱部分１４８に取り付けられた圧縮バネであるとしたが、この構成に限られない。第１バネ１５２は、第２ローラ支持アーム１４０と押圧アーム１４４とを互いに離間する向きに付勢できる構成であれば良い。
【０１１２】
ストッパ部１４６は、第２ローラ支持アーム１４０に設けられたＴ字状の部材であるとしたが、この構成に限られない。ストッパ部は、第２ローラ支持アーム１４０と押圧アーム１４４とが一定以上離れ過ぎないように規制する部材であれば良く、例えば、プリンタ部１４に上記２つのアーム部材の位置を規制する部材を設けていても良い。
【０１１３】
第２ローラ支持アーム１４０は、その延出端部に第４ピンチローラ１３４を支持するアーム状の部材であるとしたが、この構成に限られない。第２ローラ支持アーム１４０は、第４ピンチローラもしくは再搬送ローラ７４とを互いに接離可能に支持する構成であれば、第２ローラ支持アーム１４０がなくても良い。例えば、再搬送ローラ７４が移動可能に設けられ、スライドトレイ５４の後方位置への移動により、スライドトレイ５４に設けられる例えば突起により、再搬送ローラ７４が第４ピンチローラ１３４に圧接されるような構成であっても良い。
【０１１４】
また、第４ピンチローラ１３４が、再搬送ローラ７４に対して接離可能に移動するとしたが、再搬送ローラ７４が第４ピンチローラ１３４に対して接離可能に移動する構成としてもよい。
【０１１５】
ＰＦモータ８８の回転方向が正方向から逆方向へ切り換わってから、ＡＳＦモータ７８の正方向への回転が開始されるまでの所定時間における、給紙ローラ１０２がメイントレイ５０に収容された記録紙から離間するまでの時間は、メイントレイ５０に収容される記録紙が最大枚数である場合を基準としたが、これに限らない。メイントレイ５０に収容された記録紙の枚数によって所定時間を変更しても良い。それにより、ＡＳＦモータ７８の正方向への回転開始までの時間の無駄をさらになくすことができる。
【符号の説明】
【０１１６】
１８・・・画像記録部
２０・・・給紙部
２２・・・第１搬送部
２４・・・切換部
２６・・・保持部
２８・・・第２搬送部
３０・・・第１搬送路
３２・・・第２搬送路
４６・・・給紙カセット
４８・・・給紙機構
５０・・・メイントレイ
５２・・・カバートレイ
５４・・・スライドトレイ
６６・・・カバートレイの開口
６８・・・カバートレイ内部の空間
７０・・・搬送構成部
７２・・・下方傾斜ガイド
７４・・・再搬送ローラ
７８・・・ＡＳＦモータ
８０・・・凸部
８６・・・スライド駆動部
８８・・・ＰＦモータ
９０・・・左側ピニオンギア
９２・・・右側ピニオンギア
９４・・・左側ラックギア
９６・・・右側ラックギア
１０２・・・給紙ローラ
１０４・・・第１ローラ支持アーム
１２４・・・スイッチバックローラ対
１２８・・・スイッチバックローラ
１３０・・・第３ピンチローラ
１３２・・・上方傾斜ガイド
１３４・・・第４ピンチローラ
１３６・・・接離機構
１３８・・・支持軸
１４０・・・第２ローラ支持アーム
１４２・・・当接アーム
１４４・・・押圧アーム
１４６・・・ストッパ部
１４８・・・柱部分
１５０・・・屋根部分
１５２・・・第１バネ
１５４・・・第２バネ
【図１】
2011126666.tif 000003
【図２】
2011126666.tif 000004
【図３】
2011126666.tif 000005
【図４】
2011126666.tif 000006
【図５】
2011126666.tif 000007
【図６】
2011126666.tif 000008
【図７】
2011126666.tif 000009